(57)【要約】【課題】  ユーザー、管理者、メンテナンス・サービス業者（含む販売店員）、メーカーなど、各々の立場で室内機または室外機とコミュニケーションを図る場面において有効な機能を付加したリモートコントローラを有する空気調和装置が求められている。【解決手段】  空気調和装置は、少なくとも１台の室内機Ｂと、室内機Ｂとの間で冷媒回路を構成する室外機Ｃと、室内機Ｂまたは室外機Ｃと伝送手段５を介して双方向に情報伝達するリモートコントローラＡとを備えてなり、リモートコントローラＡが、運転条件データを設定入力するための操作部１と、運転状況を表示する表示部２とを有している装置であって、リモートコントローラＡの複数の操作手段が所定の組合せで操作されたときに、予め付与されている室内機Ｂまたは室外機Ｃの運転内容設定手段と、当該運転内容を室内機Ｂまたは室外機Ｃに実行させる運転内容実行手段とを具備している。【選択図】  図１
2006177571.tif 000002
【特許請求の範囲】
【請求項１】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記リモートコントローラの複数の操作手段が所定の組合せで操作されたときに、前記操作手段の組合せについて予め付与されている前記室内機または室外機の運転内容を設定する運転内容設定手段と、前記運転内容設定手段に前記室内機または室外機の運転内容が設定されたときに当該運転内容を前記室内機または室外機に実行させる運転内容実行手段とを具備するとともに、前記リモートコントローラは少なくとも前記複数の操作手段を被う大きさのテンプレートを備え、前記テンプレートは板状のプレート本体からなり、該テンプレートに、前記所定の組合せで同時に操作される複数の操作手段を被う前記プレート本体の部分に形成されていて前記テンプレートを前記リモートコントローラに装着したときに当該所定の組合せに係る操作手段と接触して操作する接触操作部と、前記所定の組合せに係る操作手段以外の操作手段と対面する前記プレート本体の部分に開口する開放穴部と、前記開放穴部から覗く操作手段に付与されている操作内容を当該操作手段近傍のプレート本体の部分に記載した操作内容記載部とが設けられていることを特徴とする空気調和装置。
【請求項２】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記リモートコントローラの複数の操作手段が所定の組合せで操作されたときに優先空調設定を行う優先空調設定手段と、前記優先空調設定手段により優先空調設定が行なわれたときに、前記リモートコントローラの制御対象として予め設定されている前記室内機の熱交換量が所定期間中に増大するように制御変更指令を当該室内機に出力するとともに、前記リモートコントローラの制御対象外の室内機の熱交換量が所定期間中に減少するように制御変更指令を前記制御対象外の室内機に出力する制御変更手段とを具備したことを特徴とする空気調和装置。
【請求項３】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記リモートコントローラの複数の操作手段が所定の組合せで操作されたときに、前記室内機または室外機の種々のアクチュエータを個々に強制動作させるアクチュエータ動作確認手段を具備したことを特徴とする空気調和装置。
【請求項４】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記リモートコントローラの複数の操作手段が所定の組合せで操作されたときに、前記室内機またはリモートコントローラが保有する発光部の、運転に伴う点灯を許可状態または禁止状態に切替えて設定する発光部点灯切替手段を具備したことを特徴とする空気調和装置。
【請求項５】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記室内機または室外機の異常を判定する異常判定手段と、前記リモートコントローラの異常を判定する異常判定手段と、前記室内機または室外機の異常判定手段または前記リモートコントローラの異常判定手段が異常と判定した場合に前記室内機または室外機を運転停止する異常停止手段と、前記室内機または室外機の異常判定手段または前記リモートコントローラの異常判定手段が異常と判定した場合に前記リモートコントローラの表示手段に異常の旨を表示する通常モードと前記リモートコントローラから前記室内機または室外機に対して異常リセット信号を伝達して再運転を実行させるリトライモードとに切替え設定する異常時対応設定手段とを具備したことを特徴とする空気調和装置。
【請求項６】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記室内機または室外機の環境条件を検出する環境条件検出手段と、前記リモートコントローラの操作手段より前記室内機または室外機が運転されたときに前記環境条件検出手段により検出された環境条件に基づいて当該室内機または室外機の運転許可または運転禁止を判定する運転可否判定手段と、前記運転可否判定手段が運転禁止と判定した場合には設定された運転を実行することなく当該室内機または室外機の運転禁止の旨を前記リモートコントローラの表示手段に表示させる運転保留手段とを具備したことを特徴とする空気調和装置。
【請求項７】
被空調空間を空気調和する少なくとも１台の室内機と、前記室内機との間で冷媒回路を構成する室外機と、前記室内機または室外機と伝送手段を介して双方向に情報伝達するリモートコントローラとを備えてなり、前記リモートコントローラが、前記室内機または室外機の運転条件データを設定入力するための複数の操作手段と、前記室内機または室外機の運転状況を表示する表示手段とを有している空気調和装置において、前記リモートコントローラの操作許可時間を設定する操作許可時間設定手段と、前記操作許可時間設定手段により設定された操作許可時間中のみ前記リモートコントローラからの運転操作を可能とする時限運転手段とを具備したことを特徴とする空気調和装置。
【発明の詳細な説明】
【技術分野】
【０００１】
本発明は、室内機と室外機とリモートコントローラを備えてなる空気調和装置に係り、特にリモートコントローラの複数の操作手段と表示手段を活用した付加機能に関するものである。
【背景技術】
【０００２】
一般に、空気調和装置においては、室内機や室外機の運転操作にリモートコントローラが不可欠の存在になっており、このリモートコントローラで実現できる機能も充実化してきている。例えば、下記の特許文献１には、空気調和装置の運転時の目標となる室内設定温度の上下限範囲を変更できるリモートコントローラが示されている。
【０００３】
【特許文献１】特開２００１−２５４９８４号公報
【発明の開示】
【発明が解決しようとする課題】
【０００４】
上記した従来の空気調和装置のリモートコントローラは、ユーザーと空気調和装置との接点であるものの空気調和装置の運転操作をする機能が基本であり、まだまだマンマシン・インターフェースとしての機能には限りがあった。
【０００５】
この発明は、上述のような課題を解決するためになされたもので、ユーザー、管理者、メンテナンス・サービス業者（含む販売店員）、メーカーなど、各々の立場で室内機または室外機とコミュニケーションを図る場面において有効な機能を付加したリモートコントローラを有する空気調和装置を得ることを目的とする。
【課題を解決するための手段】
【０００６】
前記の目的を達成するために、本発明に係る空気調和装置は、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、リモートコントローラの複数の操作手段が所定の組合せで操作されたときに、操作手段の組合せについて予め付与されている室内機または室外機の運転内容を設定する運転内容設定手段と、運転内容設定手段に室内機または室外機の運転内容が設定されたときに当該運転内容を室内機または室外機に実行させる運転内容実行手段とを具備するとともに、リモートコントローラは少なくとも複数の操作手段を被う大きさのテンプレートを備え、テンプレートは板状のプレート本体からなり、該テンプレートに、所定の組合せで同時に操作される複数の操作手段を被うプレート本体の部分に形成されていてテンプレートをリモートコントローラに装着したときに当該所定の組合せに係る操作手段と接触して操作する接触操作部と、所定の組合せに係る操作手段以外の操作手段と対面するプレート本体の部分に開口する開放穴部と、開放穴部から覗く操作手段に付与されている操作内容を当該操作手段近傍のプレート本体の部分に記載した操作内容記載部とが設けられているものである。
【０００７】
また、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、リモートコントローラの複数の操作手段が所定の組合せで操作されたときに優先空調設定を行う優先空調設定手段と、優先空調設定手段により優先空調設定が行なわれたときに、リモートコントローラの制御対象として予め設定されている室内機の熱交換量が所定期間中に増大するように制御変更指令を当該室内機に出力するとともに、リモートコントローラの制御対象外の室内機の熱交換量が所定期間中に減少するように制御変更指令を制御対象外の室内機に出力する制御変更手段とを具備したことを特徴とするものである。
【０００８】
そして、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、リモートコントローラの複数の操作手段が所定の組合せで操作されたときに、室内機または室外機の種々のアクチュエータを個々に強制動作させるアクチュエータ動作確認手段を具備したことを特徴とするものである。
【０００９】
更に、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、リモートコントローラの複数の操作手段が所定の組合せで操作されたときに、室内機またはリモートコントローラが保有する発光部の、運転に伴う点灯を許可状態または禁止状態に切替えて設定する発光部点灯切替手段を具備したことを特徴とするものである。
【００１０】
また、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、室内機または室外機の異常を判定する異常判定手段と、リモートコントローラの異常を判定する異常判定手段と、室内機または室外機の異常判定手段またはリモートコントローラの異常判定手段が異常と判定した場合に室内機または室外機を運転停止する異常停止手段と、室内機または室外機の異常判定手段またはリモートコントローラの異常判定手段が異常と判定した場合にリモートコントローラの表示手段に異常の旨を表示する通常モードとリモートコントローラから室内機または室外機に対して異常リセット信号を伝達して再運転を実行させるリトライモードとに切替え設定する異常時対応設定手段とを具備したことを特徴とするものである。
【００１１】
そして、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、室内機または室外機の環境条件を検出する環境条件検出手段と、リモートコントローラの操作手段より室内機または室外機が運転されたときに環境条件検出手段により検出された環境条件に基づいて当該室内機または室外機の運転許可または運転禁止を判定する運転可否判定手段と、運転可否判定手段が運転禁止と判定した場合には設定された運転を実行することなく当該室内機または室外機の運転禁止の旨をリモートコントローラの表示手段に表示させる運転保留手段とを具備したことを特徴とするものである。
【００１２】
更に、被空調空間を空気調和する少なくとも１台の室内機と、室内機との間で冷媒回路を構成する室外機と、室内機または室外機と伝送手段を介して双方向に情報伝達するリモートコントローラとを備えてなり、リモートコントローラが、室内機または室外機の運転条件データを設定入力するための複数の操作手段と、室内機または室外機の運転状況を表示する表示手段とを有している空気調和装置において、リモートコントローラの操作許可時間を設定する操作許可時間設定手段と、操作許可時間設定手段により設定された操作許可時間中のみリモートコントローラからの運転操作を可能とする時限運転手段とを具備したことを特徴とするものである。
【発明の効果】
【００１３】
この発明は、特定の操作手段と表示手段の基で室内機または室外機に対して種々の付加機能を設定する操作をすることができる。
まず、請求項１に係る発明によれば、テンプレートをリモートコントローラの表面に押し当てることで、接触操作部により、同時に必要な複数の操作手段を簡単、確実に操作できる。また、追加で操作しようとする操作手段が開放穴部にある場合にはどの操作手段をどのように操作すればどのような付加機能が得られるかが、操作内容記載部に表示されている記載内容から一目瞭然に判る。従って、多数ある付加機能に対して、個々に複雑な操作を覚えておく必要がない。表示についても何処を見れば良いかがはっきりするので見落としがなくなる。すなわち、付加機能をより簡単に利用することができるという効果がある。
【００１４】
また、請求項２に係る発明によれば、リモートコントローラの複数の操作手段の操作により、優先空調設定手段によって優先空調設定が行なわれると、制御変更手段により、リモートコントローラの管理下にある特定の室内機の空調能力を所定期間内だけ増強することができる。従って、空気調和装置の立上り特性の改善が可能となる。
【００１５】
そして、請求項３に係る発明によれば、リモートコントローラの複数の操作手段の操作により、アクチュエータ動作確認手段によって、ドレンポンプ、加湿器、ＬＥＶなど室内機または室外機のアクチュエータを独立に動作制御することができる。これにより、アクチュエータの動作の確認を容易かつ確実に実施できる。
【００１６】
更に、請求項４に係る発明によれば、リモートコントローラの複数の操作手段の操作により、発光部点灯切替手段によって、ＬＥＤおよびバックライトなどの発光部の点灯可否を設定でき、劇場・ホールなどのように暗くする必要のある居室で不要な明かりが灯るという状況を回避することができる。また、その設定操作時に、実際に発光部を点灯または消灯させることができるので、操作ミスのないマンマシン性を確保できる。
【００１７】
また、請求項５に係る発明によれば、室内機、室外機、またはリモートコントローラに異常が検出されたときに、異常時対応設定手段によりリトライモードに切替えられるので、ＶＩＰルーム空調やサーバールームなどの対物空調において極力室内機の運転を維持したい場合などに、異常判定時にも即時リセット処理を実施して再運転を行なうことができる。これにより、冷媒の過渡現象や外来ノイズなどによる一過性の異常状態などにより従来は異常停止させていたものでも、空気調和装置の正常運転に自動的に復旧させることができる。
【００１８】
そして、請求項６に係る発明によれば、室内機または室外機の環境条件から運転可否判定手段により空気調和装置の運転禁止が判定されたときに、運転保留手段によって、室内機または室外機の運転が実行されることなく運転禁止の旨がリモートコントローラの表示手段に表示される。従って、従来は人によるリモートコントローラの操作に応じて無条件に運転開始していたものを、条件に応じて運転禁止にすることができ、不用意に機器破損に至るような運転の開始を回避できる。また、従来は取扱説明書などの別情報で取り扱われて人に頼っていた内容が空気調和装置自体で管理されるので、機器破損を完全に予防することができる。
【００１９】
更に、請求項７に係る発明によれば、操作許可時間設定手段により設定された操作許可時間中のみ、時限運転手段によって、リモートコントローラからの運転操作が可能となるので、例えばカラオケＢＯＸなどのように時間貸しする部屋に配備されたリモートコントローラを契約に基づく時間中だけ自由に使用できるようにすることができる。その場合、操作許可していないときは強制的に運転停止するようにしておけば、空気調和装置の無駄使いも抑制できる。加えて、空気調和装置の自動停止により、利用者に時間貸しの時間切れを気付かせるという副次的効果もある。
【発明を実施するための最良の形態】
【００２０】
図１は本発明の実施の形態に係る空気調和装置の要部構成を示すものである。
図において、本実施形態の空気調和装置は、被空調空間をそれぞれ空気調和する複数台の室内機Ｂと、室内機Ｂとの間で冷媒回路を構成する室外機Ｃと、室内機Ｂまたは室外機Ｃの運転条件の設定や運転状況の表示などを行なうリモートコントローラＡとを備えて構成されている。そして、室内機Ｂ、室外機Ｃ、およびリモートコントローラＡは、それぞれの伝送手段５を介して双方向情報通信自在に接続されている。図１では各機器内を機能ブロック的に表したおり、リモートコントローラＡは、マイクロコンピュータなどで構成されるリモコンの制御手段３を中心に、設定部１、表示部２、伝送手段５、リモコンの記憶手段４、および、リモコンの伝送アドレス設定手段６などからなっている。室内機Ｂは、マイクロコンピュータなどで構成される室内機の制御手段７を中心に、センサ入力手段８、アクチュエータ出力手段１０、伝送手段５、室内機の記憶手段９、室内機の伝送アドレス設定手段１６などからなっている。室内機Ｂのアクチュエータとしては、ファン１１、絞り装置としてのＬＥＶ（リニア膨張弁）１２、風向を切り替えるベーン１３、ドレン水を排水するためのドレンポンプ１４、加湿器１５、等がある。
【００２１】
図２（ａ）はリモートコントローラＡにおけるリモコンの制御手段３が保有する様々な機能を呈する各種の手段をブロック図様に記載したものである。これらの各種手段の機能は後の実施の形態で詳述するが、例えば、運転内容設定手段２１、優先空調設定手段２２、制御変更手段２３、アクチュエータ動作確認手段２４、補正値設定手段２５、操作許可禁止切替手段２６、全試運転操作手段２７、操作許可時間設定手段２８、時限運転手段２９、デマンド制御手段３０、発光部点灯切替手段３１、異常表示解除手段３２、異常判定手段３３、異常判定強化手段３４、異常時対応設定手段３５、運転保留手段３６、固有情報抽出手段３７、運転期間計時記憶手段３８、運転期間表示指令手段３９、操作設定値サイクリック変更手段４０、および、サイクリック変更制御手段４１がある。これらの手段２１〜４１の機能はリモコンの記憶手段４のＲＯＭ部にソフトウェアプログラムとして記憶されており、必要に応じリモコンの記憶手段４からリモコンの制御手段３に読み出されて実行されるようになっている。
また、図２（ｂ）は室内機Ｂまたは室外機Ｃにおける制御手段７が実行する様々な機能を呈する各種手段をブロック図様に記載したものである。これらの各種手段の機能は後の実施の形態で詳述するが、例えば、固有情報記憶手段４２、運転内容実行手段４３、異常判定手段４４、異常判定強化手段４５、異常停止手段４６、サーモ判定手段４７、環境条件検出手段４８、および、運転可否判定手段４９がある。これらの手段４２〜４９の機能は室内機または室外機の記憶手段９のＲＯＭ部にソフトウェアプログラムとして記憶されており、必要に応じ室内機または室外機の記憶手段９から制御手段７に読み出されて実行される。
そして、リモートコントローラＡの運転期間計時記憶手段３８における記憶機能はリモコンの記憶手段７のＲＡＭ部に持たせておくとよい。また、室内機Ｂまたは室外機Ｃの固有情報記憶手段４２の機能は室内機または室外機の記憶手段９のＲＡＭ部に持たせておくとよい。
尚、この実施形態では、手段２１〜４１をリモートコントローラＡ側に持たせ、手段４２〜４９を室内機Ｂまたは室外機Ｃ側に持たせたが、本発明はそれに限定されるものでなく、構成が可能な限り、各手段２１〜４９の機能をリモートコントローラＡ、室内機Ｂ、または室外機Ｃのいずれに持たせても構わない。
【００２２】
リモートコントローラＡは、図３に示すように、大きく分けて、室内機Ｂまたは室外機Ｃの運転条件データを設定入力するための操作部１と、室内機Ｂまたは室外機Ｃの運転状況を表示する表示部２（表示手段の例）とからなっている。操作部１は複数のスイッチ（操作手段の例）からなり、個々のスイッチに機能が割り付けられている。かかるスイッチとしては、運転／停止スイッチ、設定温度の上昇（△）下降（▽）、冷房・暖房・除湿・送風などの運転モードの切換、タイマ設定、時刻切換、時刻の前進（△）後退（▽）、風速切換（複数段階）、上下の風向切換（複数段階）、風向連続変化（ルーバー）操作、換気機器操作、および室内機運転時間からフィルターメンテナンス要否を確認するためのフィルター、表示部に異常状態の詳細を示す点検コードを表示する点検、空気調和装置を特別な「試運転」モードで運転する試運転、に係るスイッチが挙げられる。
表示部２は、ドットマトリックス構成でドットの組合せにより自由度の高い表示が実現できる部分（図２中の左上部）と、固定パターン構成で予め定められた形状を効率的に表示する部分とからなっている。ドットマトリックス部では、種々の言語に対応してユーザーフレンドリーに言葉で運転モードを表示したり、点検コードの意味を表示したりする。固定パターン部では、時刻や設定温度、空気調和装置の室内機の吸込み温度などを７セグメント・パターンを用いて表示する部分と、風向および風速を表示パターンの向きや表示ポイントの個数で示す部分とがある。
【００２３】
尚、リモートコントローラＡの運転内容設定手段２１は、複数のスイッチが所定の組合せで操作されたときに、前記スイッチの組合せについて予め付与されている室内機Ｂまたは室外機Ｃの運転内容を設定するようになっている。そして、室内機Ｂまたは室外機Ｃの運転内容実行手段４３は、リモートコントローラＡの運転内容設定手段２１により室内機Ｂまたは室外機Ｃの運転内容が設定されたときに、その運転内容を室内機Ｂまたは室外機Ｃに実行させるようになっている。
また、リモートコントローラＡの運転内容設定手段２１は、複数のスイッチを同時に操作する必要はなく、複数のスイッチを順番に一つずつ操作してもよい。
【００２４】
上記したような構成の基で、種々の付加機能を備える。
実施の形態１．
まず、図４のフローチャートで異常検知時のリトライ処理について説明する。同図（ａ）のブロック図で異常時対応の設定について説明する。ステップＳ１では、操作者が試運転スイッチと点検スイッチを同時に操作しているかどうかを判断し、そうであればステップＳ２へ進み、そうでなければ本制御を終了する。ステップＳ２では、フィルタースイッチが操作されているかどうかを判断し、そうであれば、ステップＳ３へ進み、そうでなければステップＳ４へ進む。ステップＳ３では、異常検出時にリトライ動作をする設定とし、本制御を終了する。ステップＳ４では、異常検出時に異常停止するとともにリモートコントローラには異常表示を行い、本制御を終了する。
次に、同図（ｂ）のブロック図で、実際に異常検知した場合の処理を説明する。ステップＳ１１では、室内機Ｂまたは室外機Ｃの異常を検知したかどうかを判定（具体的には室内機Ｂまたは室外機Ｃ側から伝送で異常状態であることをリモートコントローラＡが受信したかどうかの判定）し、異常であればステップＳ１２へ進み、異常でなければ本制御を終了する。ステップＳ１２では、同図（ａ）で述べた異常時対応の設定がリトライか異常表示かを判定し、リトライ設定であればステップＳ１３へ進み、異常表示設定であればステップＳ１４へ進む。ステップＳ１３では、空気調和装置に一旦停止指令を発することで異常リセットし、さらに再度同じモードで運転指令を送ることで再運転リトライを実現し、本制御を終了する。ステップＳ１４では、室内機Ｂまたは室外機Ｃは異常検知にて異常停止した状態のままとし、リモートコントローラの表示部に異常状態の詳細を表す異常コードを表示し、本制御を終了する。
【００２５】
すなわち、室内機Ｂまたは室外機Ｃの異常判定手段４６またはリモートコントローラＡの異常判定手段３３が異常と判定した場合に、異常停止手段４６が室内機Ｂまたは室外機Ｃを運転停止し、同時に、異常時対応設定手段３５（ステップＳ１２の機能に相当する）が、リモートコントローラＡの表示部２に異常の旨を表示する通常モードと、リモートコントローラＡから室内機Ｂまたは室外機Ｃに対して異常リセット信号を伝達して再運転を実行させるリトライモードとに切替え設定するので、ＶＩＰルーム空調やサーバールームなどの対物空調において極力室内機Ｂの運転を維持したい場合などに、異常判定時にも即時リセット処理を実施して再運転を行なうことができる。これにより、冷媒の過渡現象や外来ノイズなどによる一過性の異常状態などにより従来は異常停止させていたものでも、空気調和装置の正常運転に自動的に復旧させることができる。
【００２６】
実施の形態２．
次に、図５のフローチャートで特定室内機の優先的能力増大運転について説明する。
図において、ステップＳ２１では、リモートコントローラＡの風速スイッチと上下風向スイッチが操作されているかどうかを判定し、そうであればステップＳ２２へ進み、そうでなければステップＳ２８へ進む。ステップＳ２２では、タイマ値がー１（停止中）であるかどうかを判定し、そうであれば（すなわち停止中であれば）ステップＳ２３へ進み、そうでなければ（すなわちタイマ動作中であれば）ステップＳ２４へ進む。ステップＳ２３では、タイマを動作スタートさせ、ステップＳ２４へ進む。ステップＳ２４では、リモートコントローラＡにより直接操作される対象の室内機Ｂに対し伝送手段５を介して、熱交換量を増加するために風速を最大まで大きくするとともに、流通冷媒量を増加するために絞り装置（ＬＥＶ）の絞り開度を極力開く目的で目標とする冷媒のＳＨ量（スーバーヒート量）やＳＣ量（サブクール量）を小さく設定し、ステップＳ２５へ進む。ステップＳ２５では、リモートコントローラＡにより直接操作されない対象外の室内機に対して、対象室内機Ｂ側の判断で伝送手段５を介して、流通冷媒量を抑制するために絞り装置（ＬＥＶ）の絞り開度を極力閉じる目的で目標とする冷媒のＳＨ量（スーバーヒート量）やＳＣ量（サブクール量）を大きく設定し、ステップＳ２６へ進む。ステップＳ２６では、タイマが所定時間以上を計時した（タイムｕｐ）かどうかを判定し、そうであればステップＳ２７へ進み、そうでなければステップＳ２１へ戻る。ステップＳ２７では、各室内機に対して、風速と目標ＳＨ／ＳＣの初期値を送信することで通常の運転状態に戻し、本制御を終了する。一方、ステップＳ２８では、タイマがー１（停止中）であるかどうかを判定し、−１（停止中）であれば本制御を終了し、−１（停止中）でなければステップＳ２９へ進む。ステップＳ２９では、タイマをー１（停止中）に設定し、ステップＳ２７へ進む。
【００２７】
すなわち、優先空調設定手段２２（ステップＳ２１〜Ｓ２３の機能に相当する）は、リモートコントローラＡの複数のスイッチが所定の組合せで操作されたときに優先空調設定を行い、制御変更手段２３（ステップＳ２４，Ｓ２５の機能に相当する）は、リモートコントローラＡの制御対象として予め設定されている室内機Ｂの熱交換量が所定期間中に増大するように制御変更指令をその室内機Ｂに出力するとともに、リモートコントローラの制御対象外の室内機の熱交換量が所定期間中に減少するように制御変更指令を制御対象外の室内機に出力する。従って、リモートコントローラＡの管理下にある特定の室内機Ｂの空調能力を所定期間内だけ増強することができる。従って、空気調和装置の立上り特性の改善が可能となる。
【００２８】
実施の形態３．
次に、図６のフローチャートでリモートコントローラ操作による風向および風量のサイクリックな複数段階切換について説明する。
図において、ステップＳ３１では、リモートコントローラＡの風向切換スイッチのみが操作されているかどうかを判定し、そうであればステップＳ３２へ進み、そうでなければステップＳ３９へ進む。ステップＳ３２では、風向の仮設定を１ステップ分大きく（より下向きに）し、ステップＳ３３へ進む。ステップＳ３３では、風向の仮設定が最大ステップ数＋１まで進んでいるかどうかを判断し、そうであればステップＳ３４へ進み、そうでなければステップＳ３５へ進む。ステップＳ３４では、風向の設定値を最大値（真下向き）とし、ステップＳ３７へ進む。ステップＳ３５では、風向の仮設定値が最大ステップ数＋２まで進んでいるかどうかを判断し、そうであればステップＳ３６へ進み、そうでなければステップＳ４５へ進む。ステップＳ３６では、風向の設定値を最小値（真横向き）とし、ステップＳ３７へ進む。ステップＳ４５では、風向の仮設定値を風向の設定値とし、ステップＳ３７へ進む。ステップＳ３７では、風向および風量の設定値をリモートコントローラＡの表示部２に表示し、ステップＳ３８へ進む。ステップＳ３８では、風向及び風量の設定値を室内機Ｂに伝送し、本制御を終了する。
一方、ステップＳ３９では、リモートコントローラの風量切換スイッチのみが操作されているかどうかを判定し、そうであればステップＳ４０へ進み、そうでなければ本制御を終了する。ステップＳ４０では、風量の仮設定を１ステップ分大きく（風量増加）し、ステップＳ４１へ進む。ステップＳ４１では、風量の仮設定が最大ステップ数＋１まで進んでいるかどうかを判断し、そうであればステップＳ４２へ進み、そうでなければステップＳ４３へ進む。ステップＳ４２では、風量の設定値を最大値とし、ステップＳ３７へ進む。ステップＳ４３では、風量の仮設定値がｍａｘ＋２まで進んでいるかどうかを判断し、そうであればステップＳ４４へ進み、そうでなければステップＳ４６へ進む。ステップＳ４４では、風量の設定値を最小値とし、ステップＳ３７へ進む。ステップＳ４６では、風量の設定値を風量の仮設定値とし、ステップＳ３７へ進む。
【００２９】
すなわち、操作設定値サイクリック変更手段４０（ステップＳ３２，Ｓ３３，Ｓ３６，Ｓ４０，Ｓ４１，Ｓ４４の機能に相当する）が、室内機Ｂの風量または風向に係るスイッチの操作ごとに１段階ずつ操作設定値を変更するとともに、既定の最大操作設定値から既定の最小操作設定値へ、または最小操作設定値から最大操作設定値へは直接切替わるように操作設定値を変更する。そして、サイクリック変更制御手段４１（ステップＳ３３〜Ｓ３６，Ｓ４１〜Ｓ４４の機能に相当する）が、最大操作設定値よりも昇順手前の操作設定値から最大操作設定値へは昇順手前の操作設定値でリモートコントローラＡのスイッチが複数回操作されたときに変更し、または、最小操作設定値よりも降順手前の操作設定値から最小操作設定値へは降順手前の操作設定値でリモートコントローラＡのスイッチが複数回操作されたときに変更するように操作設定値サイクリック変更手段４０を制御するので、室内機の風向および風量のサイクリックな設定変更に際し、複数回のスイッチ操作の間、例えば最大設定値の設定表示が繰り返される。従って、最大設定値になったことをユーザーに認知させることができる。これにより、誤って行き過ぎて最大設定値から最小設定値にしてしまったために再び設定値の昇順操作を繰り返さなければならないという不便を回避でき、操作上の不快感発生を予防できる。
【００３０】
実施の形態４．
次に、図７のフローチャートで室内機のサーモＯＮ／ＯＦＦ判定に用いる吸込み温度に対し、温度検知位置と制御空間の平均値など真に調整したい温度との差分を補正する補正値を設定し、補正値を負荷してサーモ制御するアルゴリズムについて説明する。
図において、ステップＳ５１では、リモートコントローラＡのフィルタ・スイッチと試運転スイッチが操作されているかどうかを判定し、操作されていればステップＳ５２へ進み、そうでなければステップＳ５７へ進む。ステップＳ５２では、リモートコントローラＡの設定温度の表示部２に現在の補正値を表示し、ステップＳ５３へ進む。ステップＳ５３では、設定温度△のスイッチが操作されているかどうかを判定し、そうであればステップＳ５４へ進み、そうでなければステップＳ５５へ進む。ステップＳ５４では、設定温度を＋１℃変更し、ステップＳ５１へ戻る。ステップＳ５５では、設定温度▽のスイッチが操作されているかどうかを判定し、そうであればステップＳ５６へ進み、そうでなければステップＳ５１へ戻る。ステップＳ５６では、設定温度をー１℃変更し、ステップＳ５１へ戻る。ステップＳ５７では、補正値に変更があったかどうかを判定し、変更があればステップＳ５８へ進み、変更がなければ本制御を終了する。ステップＳ５８では、室内機Ｂに補正値を送信することで、サーモＯＮ／ＯＦＦ制御を調整し、本制御を終了する。
【００３１】
すなわち、リモートコントローラＡから予め設定された設定温度と室内機Ｂの吸込み空気の温度を検出する吸込み温度検出手段からセンサ入力手段８を経て入力された検出温度との温度差に基づいてサーモ判定を実施するにあたり、リモートコントローラＡの複数のスイッチが所定の組合せで操作されたときに、補正値設定手段２５（ステップＳ５７，Ｓ５８の機能に相当する）がセンサ入力手段８からの検出温度に対して補正値を設定し、サーモ判定手段４７は補正値設定手段２５により設定された補正値を検出温度に加味して得た補正温度に基づいてサーモ判定を行なうので、サーモＯＮ／ＯＦＦするための判定データである室内機Ｂの吸込み検出温度とリモートコントローラＡの設定温度との間の温度差について補正値を加減することができる。従って、室内機ＢにおけるサーモＯＮ／ＯＦＦ動作と、リモートコントローラ４の吸込み温度および設定温度の表示と、空調空間でユーザーが感じる実感との整合をとることができる。
【００３２】
実施の形態５．
次に、図８のフローチャートで、リモートコントローラに備えられて運転時に点灯するＬＥＤや表示部のバックライト（それぞれ発光部の例）に関し、その点灯可否を設定するアルゴリズムについて説明する。
図において、ステップＳ６１では、リモートコントローラＡのフィルタスイッチと点検スイッチが操作されているかどうかを判定し、そうであればステップＳ６２へ進み、そうでなければ本制御を終了する。ステップＳ６２では、現在のＬＥＤ６４およびバックライト６５の点灯可否設定を読み出し、ステップＳ６３へ進む。ステップＳ６３では、点灯可否設定が点灯可であればステップＳ６４へ進み、点灯不可であればステップＳ６５へ進む。ステップＳ６４では、点灯可否設定をＬＥＤ６４およびバックライト６５の点灯可とするとともに実際にＬＥＤ６４およびバックライト６５を点灯し、ステップＳ６６へ進む。ステップＳ６５では、点灯可否設定をＬＥＤ６４およびバックライト６５の点灯不可（＝常時消灯）とするとともに実際にＬＥＤ６４およびバックライト６５を消灯し、ステップＳ６６へ進む。ステップＳ６６では、所定時間経過するまで待ち、所定時間経過しておればステップＳ６７へ進み、所定時間経過していなければステップＳ６６に戻る。ステップＳ６７では、リモートコントローラＡのフィルタースイッチと点検スイッチが操作されているかどうかを判定し、そうであればステップＳ６８へ進み、そうでなければ本制御を終了する。ステップＳ６８では、点灯可否設定の可／否を反転切換えし、ステップＳ６３へ進む。
【００３３】
すなわち、リモートコントローラＡの複数のスイッチが所定の組合せで操作されたときに、発光部点灯切替手段３１（ステップＳ６３〜Ｓ６５の機能に相当する）が室内機ＢまたはリモートコントローラＡが保有するＬＥＤ６４やバックライト６５などの、運転に伴う点灯を許可状態または禁止状態に切替えて設定するので、ＬＥＤ６４およびバックライト６５などの発光部の点灯可否を設定でき、劇場・ホールなどのように暗くする必要のある居室で不要な明かりが灯るという状況を回避することができる。また、その設定操作時に、実際に発光部を点灯・消灯させることができるので、操作ミスのないマンマシン性を確保できる。
【００３４】
実施の形態６．
次に、図９のフローチャートで、リモートコントローラによる通常の運転停止や運転モード切替、設定温度切換などの操作に関して、その操作可否を設定するアルゴリズムについて説明する。個別に操作可否設定することも同様に考えられるが、ここでは操作全体の可否設定の例を説明する。
図において、ステップＳ７１では、リモートコントローラの運転／停止スイッチと試運転スイッチが操作されているかどうかを判定し、そうであればステップＳ７２へ進み、そうでなければ本制御を終了する。ステップＳ７２では、現在の操作可否設定を読み出し、ステップＳ７３へ進む。ステップＳ７３では、操作可否設定が操作可に設定されていればステップＳ７４へ進み、操作不可に設定されていればステップＳ７５へ進む。ステップＳ７４では、操作可否設定を操作可に設定するとともに表示部２の操作禁止表示を消灯し、ステップＳ７６へ進む。ステップＳ７５では、操作可否設定を操作不可にするとともに実際に表示部２の操作禁止表示を点灯し、ステップＳ７６へ進む。ステップＳ７６では、所定時間経過するまで待ち、所定時間経過しておればステップＳ７７へ進み、所定時間経過していなければステップＳ７６に戻る。ステップＳ７７では、リモートコントローラの運転／停止スイッチと試運転スイッチが操作されているかどうかを判定し、そうであればステップＳ７８へ進み、そうでなければ本制御を終了する。ステップＳ７８では、操作可否設定の可／否を反転切換えし、ステップＳ７３へ進む。
【００３５】
すなわち、リモートコントローラＡの複数のスイッチが所定の組合せで操作されたときに、操作許可禁止切替手段２６（ステップＳ７３〜Ｓ７５の機能に相当する）がリモートコントローラＡによる室内機Ｂまたは室外機Ｃの通常の制御設定操作を許可状態または禁止状態に切替えて設定するので、リモートコントローラＡからの各種操作の可否を設定できる。これにより、学校などの公共環境で管理者の意図外の操作が成された結果として空調環境が悪化するといった状況を回避することができる。また、可否設定の操作時に、リモートコントローラＡの表示部２に可否表示させるようにすると、操作ミスのないマンマシン性を確保できる。
【００３６】
実施の形態７．
次に、図１０のフローチャートで、一台のリモートコントローラで同時に操作される（＝グループ制御される）複数の室内機におけるデマンド制御について説明する。グループ制御される室内機台数は２台以上で任意であるが、ここでは基本になる室内機２台の場合を例に説明する。
なお、デマンド制御指令については、なし、５０％デマンド、８０％デマンドの３状態をリモートコントローラＡに対して外部から指令信号入力される。これまでの例のように、リモートコントローラＡにおいて複数のスイッチの操作により設定するようにしてもよい。
図において、ステップＳ８１では、タイマを０、内部変数ｉを０に設定し、ステップＳ８２に進む。ここで、タイマは計時を継続している。ステップＳ８２では、運転室内機が２台かどうかを判定し、そうであればステップＳ８３へ進み、そうでなければステップＳ９７へ進む。ステップＳ９７では、２台以外の場合の制御を実施するが今回は説明を省略する。ステップＳ８３では、デマンド制御が有効かどうかを判定し、有効であればステップＳ８４へ進み、有効でなければステップＳ９６へ進む。ステップＳ９６では、通常の２台運転の制御を行い、ステップＳ８２へ戻る。ステップＳ８４では、タイマの計時が所定時間を経過したかどうかを判定し、そうであればステップＳ８５へ進み、そうでなければステップＳ８８へ進む。ステップＳ８５では、内部変数ｉが０かどうかを判定し、０であればステップＳ８６へ進み、０でなければステップＳ８７へ進む。ステップＳ８６では、タイマを０にするとともに内部変数ｉを１に設定し、ステップＳ８８へ進む。ステップＳ８７では、タイマを０にするとともに内部変数ｉを０に設定し、ステップＳ８８へ進む。ステップＳ８８では、デマンド制御が５０％かどうかを判定し、５０％であればステップＳ８９へ進み、そうでなければステップＳ９２へ進む。ステップＳ８９では、内部変数ｉが０かどうかを判定し、０であればステップＳ９０に進み、０でなければステップＳ９１に進む。ステップＳ９０では、２台の室内機のうち、識別用アドレスの小さい方の室内機を通常運転とし、識別用アドレスの大きい方の室内機を送風運転とし、ステップＳ８２に戻る。ステップＳ９１では、２台の室内機のうち、識別用アドレスの大きい方の室内機を通常運転とし、識別用アドレスの小さい方の室内機を送風運転とし、ステップＳ８２に戻る。ステップＳ９２では、デマンド制御が８０％かどうかを判定し、８０％であればステップＳ９３へ進み、そうでなければステップＳ９６へ進む。ステップＳ９３では、内部変数ｉが０かどうかを判定し、０であればステップＳ９４に進み、０でなければステップＳ９５に進む。ステップＳ９４では、２台の室内機のうち、識別用アドレスの小さい方の室内機を通常運転とし、識別用アドレスの大きい方の室内機を風量を設定風量より小さくするとともに室内機の運転制御目標となる冷房時冷媒出口過熱度（スーパーヒート）または暖房時冷媒出口過冷却度（サブクール）をより大きな値とし、ステップＳ８２に戻る。ステップＳ９５では、２台の室内機のうち、識別用アドレスの大きい方の室内機を通常運転とし、識別用アドレスの小さい方の室内機を風量を設定風量より小さくするとともに室内機の運転制御目標となる冷房時冷媒出口過熱度（スーパーヒート）または暖房時冷媒出口過冷却度（サブクール）をより大きな値とし、ステップＳ８２に戻る。
【００３７】
すなわち、リモートコントローラＡが外部からのデマンド制御要求を受信した場合に、デマンド制御手段３０（ステップＳ８３〜Ｓ９５の機能に相当する）が、リモートコントローラＡが管理する複数の室内機Ｂに対して、各室内機Ｂに個別にデマンド制御量を割り当てて電力抑制運転を実施させるので、トータルの空調能力を抑制するデマンド制御において、同一空間に配置されていると考えられるグループ制御された複数の室内機間で、空調能力の抑制を個別に分担して切換変更することができる。これにより、空間全体に能力不足感が広がることがなく、快適性の低下を抑制することができる。なお、本例ではリモートコントローラＡにおいて全ての制御を実施しているが、室内機Ｂや室外機Ｃの保有するコントローラで実施しても良い。
【００３８】
実施の形態８．
次に、図１１のフローチャートで、リモートコントローラの運転時間を積算するアルゴリズムについて説明する。
まず、リモートコントローラの運転時間の確認およびゼロクリアのアルゴリズムについて同図（ａ）のフローチャートで説明する。ステップＳ１０１では、リモートコントローラＡの運転切換スイッチと時刻設定スイッチが操作されているかどうかを判定し、そうであればステップＳ１０２へ進み、そうでなければステップＳ１０５へ進む。ステップＳ１０５では、所定時間（運転時間）を０クリアして本制御を終了する。ステップＳ１０２では、リモートコントローラの運転時間の記憶値をリモートコントローラＡの表示部２に表示し、ステップＳ１０３へ進む。ステップＳ１０３では、本制御に入ってから所定時間経過したかどうか判定し、そうであればステップＳ１０４へ進み、そうでなければステップＳ１０１に戻る。ステップＳ１０４では、リモートコントローラの運転時間の記憶値を０クリアし、ステップＳ１０１に戻る。
次に、リモートコントローラの運転時間の積算方法について、同図（ｂ）のフローチャートで説明する。ステップＳ１０６では、リモートコントローラＡが運転停止スイッチの操作により運転に設定されているかどうかを判定し、そうであればステップＳ１０７へ進み、そうでなければステップＳ１０６に戻る。ステップＳ１０７では、リモートコントローラの運転時間の記憶値を加算計時し、ステップＳ１０６に戻る。
【００３９】
すなわち、運転期間計時記憶手段３８（ステップＳ１０６，Ｓ１０７の機能に相当する）は空気調和装置が運転状態に設定されている期間を計時して記憶し、リモートコントローラＡの複数のスイッチが所定の組合せで操作されたときに、運転期間表示指令手段３９（ステップＳ１０２の機能に相当する）は、運転時間計時記憶手段３８が記憶している運転期間をリモートコントローラＡの表示部２に表示させるので、リモートコントローラＡが運転に設定されている時間（運転時間）を積算できユーザーに知らせることができる。このことは、空調を使用するという意思表示の時間を積算する意味があり、実際の圧縮機運転状態や使用電力量に拘わらず、空気調和装置をＯＮ操作にして居室が快適に保たれている時間に対して課金することが可能となる。居室の快適性は空調機の運転の他に居室の保温性能なども関連することから、リモートコントローラＡの運転時間は居室利用者への課金の指標として納得性が得られやすい。そのうえ、居室利用者は空調負荷が増大しないように省エネ機器を使用したり、窓およびドアの開け放しを抑制したり、窓のブラインドを閉めたりした上で、極力、空気調和装置を停止するようになる。また、居室提供者は空気調和装置の省エネ化を図って電力料金を下げる努力を惜しまなくなることにより、ＣＯ２排出量削減にも寄与できる。
【００４０】
実施の形態９．
次に、図１２のフローチャートで、リモートコントローラの運転操作を時限的に許可するアルゴリズムについて説明する。ここでは、時限操作禁止の設定については、リモートコントローラＡに対して外部から指令信号入力される。但し、これまでの例のように、リモートコントローラにおいて複数のスイッチの操作により設定するようにしてもよい。なお、リモートコントローラＡの操作状況については、常時許可と、常時禁止（先に述べた複数スイッチ操作による設定など）と、個々で説明する時限許可の、３つがある。
図において、ステップＳ１１１では、リモートコントローラＡが常時操作禁止の状態かどうかを判定し、そうであれば、ステップＳ１１５へ進み、そうでなければステップＳ１１２へ進む。ステップＳ１１２では、常時操作許可の状態かどうかを判定し、そうであればステップＳ１１４へ進み、そうでなければステップＳ１１３へ進む。ステップＳ１１３では、時限操作許可状態の中で許可時間内かどうかを判定し、時間内であればステップＳ１１４へ進み、そうでなければステップＳ１１５へ進む。ステップＳ１１４では、リモートコントローラを操作許可状態とし、ステップＳ１１１へ戻る。ステップＳ１１５では、リモートコントローラを操作禁止状態とし、ステップＳ１１５へ戻る。
【００４１】
すなわち、操作許可時間設定手段２８がリモートコントローラＡの操作許可時間を設定し、設定された操作許可時間中のみ、時限運転手段２９（ステップＳ１１３，Ｓ１１４の機能に相当する）がリモートコントローラＡからの運転操作を可能とするので、例えばカラオケＢＯＸなどのように時間貸しする部屋に配備されたリモートコントローラを契約に基づく時間中だけ自由に使用できるようにすることができる。その場合、操作許可していないときは強制的に運転停止するようにしておけば、空気調和装置の無駄使いも抑制できる。加えて、空気調和装置の自動停止により、利用者に時間貸しの時間切れを気付かせるという副次的効果もある。
【００４２】
実施の形態１０．
次に、図１３のフローチャートで、機器の異常判定を強化するアルゴリズムについて説明する。
図において、ステップＳ１２１では、リモートコントローラＡの運転切換スイッチと試運転スイッチが操作されているかどうかを判定し、そうであればステップＳ１２２へ進み、そうでなければステップＳ１２３へ進む。ステップＳ１２２では、異常の判定レベルを低下するとともに、異常検知時の一旦停止後の再運転（リトライ）の回数を０にし、ステップＳ１２４へ進む。ステップＳ１２３では、異常検知の判定レベルを通常に設定するとともに、異常検知時のリトライ回数を通常の回数に設定し、ステップＳ１２４へ進む。ステップＳ１２４では、異常を検知したかどうかを判定し、検知した場合はステップＳ１２５へ進み、検知していない場合はステップＳ１２１へ戻る。ステップＳ１２５では、リトライ回数の範囲内かどうかを判定し、リトライ回数以内であればステップＳ１２６へ進み、リトライ回数を超過していれば、ステップＳ１２７へ進む。ステップＳ１２６では、空調機を一旦停止させた後に再運転し、ステップＳ１２１へ戻る。ステップＳ１２７では、空調機を停止させ、リモートコントローラＡの表示部２に異常に関する情報を表示し、ステップＳ１２１へ戻る。
なお、本フローチャートではここで着目しているアルゴリズムのみについて説明したが、実際には、ここに通常の空調機制御のアルゴリズムが加わることは言うまでもない。
また、ここで、異常の判定レベルの低下とは、具体的には圧力・温度・電流値などのセンサ取込値の過大および過小の異常判定値を正常範囲を狭める方向に変更することや、通信の不達などの伝送異常状態における異常判定前のリトライ回数を削減することなどを示す。
【００４３】
すなわち、リモートコントローラＡの複数のスイッチが所定の組合せで操作されたときに、異常判定強化手段３４，４５（ステップＳ１２２の機能に相当する）が、異常判定手段３３，４４により判定される空気調和装置の異常判定の判定レベルを通常の判定レベルよりも厳しく設定変更するので、経時劣化で発生しやすくなる不具合や外乱などにより稀に発生する不具合を早期に検知することができる。これにより、不具合の芽を試運転時点で摘むことができ、不具合発生可能性の低い安定した製品をユーザーに引き渡せることから、顧客満足度を向上できる。
【００４４】
実施の形態１１．
次に、図１４のフローチャートで、試運転時のアクチュエータ動作確認の容易化に関するアルゴリズムについて説明する。アクチュエータとしては、室内機Ｂのドレン水汲み上げのためのドレンポンプ１４、加湿器１５、ＬＥＶ１２について説明する。
同図（ａ）において、ステップＳ１３１では、室内機Ｂが停止中かどうかを判定し、停止中であればステップＳ１３２へ進み、そうでなければ本制御を終了する。ステップＳ１３２では、リモートコントローラＡの風速スイッチと風向スイッチが操作されているかどうかを判定し、そうであればステップＳ１３３へ進み、そうでなければステップＳ１３５へ進む。ステップＳ１３３では、タイマのカウントをスタートし、ステップＳ１３４へ進む。ステップＳ１３４では、リモートコントローラＡから対象室内機Ｂへドレンポンプ１４をＯＮする指令信号を送信し、ステップＳ１３５へ進む。ステップＳ１３５では、タイマが所定時間をカウントアップしているかどうかを判定し、そうであればステップＳ１３６へ進み、そうでなければ本制御を終了する。ステップＳ１３６では、リモートコントローラＡから対象室内機Ｂへドレンポンプ１４をＯＦＦする指令信号を送信し、本制御を終了する。
この場合、本フローチャートは周期的に繰り返される。また、本フローチャートでは、一旦ドレンポンプ１４の動作確認モードに入っても、リモートコントローラＡの操作によりいつでも通常運転に戻れるように構成されている。
【００４５】
すなわち、リモートコントローラＡの複数のスイッチが所定の組合せで操作されたときに、アクチュエータ動作確認手段２４（ステップＳ１３４，Ｓ１４４，Ｓ１５４の機能に相当する）が室内機Ｂまたは室外機Ｃの種々のアクチュエータを個々に強制動作させるので、ここではドレンポンプ１４を独立に動作制御することができる。これにより、ドレンポンプ１４の動作の確認を容易かつ確実に実施できる。
なお、上記フローチャートには反するが、本制御においてドレンポンプＯＮ指令（ステップＳ１３４）からドレンポンプＯＦＦ指令（ステップＳ１３６）までのタイマの所定時間カウントの間は、リモートコントローラＡを操作禁止にすれば、ドレンポンプ１４の調査中に急に室内機Ｂが別のモードで動き出すことを回避でき、確認の安全性と確実性を確保できる。
【００４６】
次に同じく、加湿器１５の確認動作について説明する。
同図（ｂ）において、ステップＳ１４１では、室内機Ｂが停止中かどうかを判定し、停止中であればステップＳ１４２へ進み、そうでなければ本制御を終了する。ステップＳ１４２では、リモートコントローラＡの風速スイッチとルーバースイッチが操作されているかどうかを判定し、そうであればステップＳ１４３へ進み、そうでなければステップＳ１４５へ進む。ステップＳ１４３では、タイマのカウントをスタートし、ステップＳ１４４へ進む。ステップＳ１４４では、リモートコントローラＡから対象室内機Ｂへ加湿器１５をＯＮする指令信号を送信し、ステップＳ１４５へ進む。ステップＳ１４５では、タイマが所定時間をカウントアップしているかどうかを判定し、そうであればステップＳ１４６へ進み、そうでなければ本制御を終了する。ステップＳ１４６では、リモートコントローラＡから対象室内機Ｂへ加湿器１５をＯＦＦする指令信号を送信し、本制御を終了する。
この場合、本フローチャートは周期的に繰り返される。また、本フローチャートでは、一旦加湿器１５の動作確認モードに入っても、リモートコントローラＡの操作によりいつでも通常運転に戻れるように構成されている。
【００４７】
すなわち、リモートコントローラＡの複数の操作手段の操作により、アクチュエータ動作確認手段２４（ステップＳ１４４の機能に相当する）によって、室内機Ｂの加湿器１５を独立に動作制御することができる。これにより、加湿器１５の動作の確認を容易かつ確実に実施できる。
なお、上記フローチャートに反するが、本制御において加湿器ＯＮ指令（ステップＳ１４４）から加湿器ＯＦＦ指令（ステップＳ１４６）までのタイマの所定時間カウントの間は、リモートコントローラＡを操作禁止にすれば、加湿器１５の調査中に急に室内機Ｂが別のモードで動き出すことを回避でき、確認の安全性と確実性を確保できる。
【００４８】
次に同じく、ＬＥＶ１２の確認動作について説明する。
同図（ｃ）において、ステップＳ１５１では、室内機Ｂが停止中かどうかを判定し、停止中であればステップＳ１５２へ進み、そうでなければ本制御を終了する。ステップＳ１５２では、リモートコントローラＡの風速スイッチと換気スイッチが操作されているかどうかを判定し、そうであればステップＳ１５３へ進み、そうでなければステップＳ１５５へ進む。ステップＳ１５３では、タイマのカウントをスタートし、ステップＳ１５４へ進む。ステップＳ１５４では、リモートコントローラＡから対象室内機ＢへＬＥＶ１２を開−閉の繰返しをする指令信号を送信し、ステップＳ１５５へ進む。ステップＳ１５５では、タイマが所定時間をカウントアップしているかどうかを判定し、そうであればステップＳ１５６へ進み、そうでなければ本制御を終了する。ステップＳ１５６では、リモートコントローラＡから対象室内機ＢへＬＥＶ１２を全閉にする指令信号を送信し、本制御を終了する。
この場合も、本フローチャートは周期的に繰り返される。また、本フローチャートでは、一旦ＬＥＶ１２加湿器の動作確認モードに入ってもリモートコントローラＡの操作により、いつでも通常運転に戻れるように構成されている。
【００４９】
すなわち、リモートコントローラＡの複数の操作手段の操作により、アクチュエータ動作確認手段２４（ステップＳ１５４の機能に相当する）によって、室内機Ｂまたは室外機ＣのＬＥＶ１２を独立に動作制御することができる。これにより、ＬＥＶ１２の動作の確認を容易かつ確実に実施できる。
なお、上記フローチャートに反するが、本制御においてＬＥＶ動作指令（ステップＳ１５４）からＬＥＶ全閉指令（ステップＳ１５６）までのタイマの所定時間カウントの間は、リモートコントローラＡを操作禁止にすれば、ＬＥＶ１２の調査中に急に室内機Ｂが別のモードで動き出すことを回避でき、確認の安全性と確実性を確保できる。
また、通常、ＬＥＶ調査時には同一冷媒系の室内機は全て停止としておき、冷媒が動いていない状態としておく。
【００５０】
実施の形態１２．
次に、図１５のフローチャートで、試運転操作のアルゴリズムについて説明する。試運転時は、サーモ発停を実施せず圧縮機の運転を継続するものである。一般にリモートコントローラによる試運転操作時にはリモートコントローラの管理下の室内機のみ試運転設定となり、同一冷媒系統の空気調和装置全体が試運転になるということはなかったので、この点を改良している。
図において、ステップＳ１６１では、リモートコントローラＡの運転停止スイッチと試運転スイッチと運転切換スイッチが操作されているかどうかを判定し、そうであれば、ステップＳ１６２へ進み、そうでなければステップＳ１６５へ進む。ステップＳ１６２では、タイマをスタートさせ、ステップＳ１６３へ進む。ステップＳ１６３では、同一冷媒系統の全リモートコントローラに対して試運転指令を送信し、ステップＳ１６４へ進む。ここで試運転指令された各リモートコントローラは管理下の各室内機を試運転動作させる。ステップＳ１６４では、同一冷媒系の全リモートコントローラに操作禁止指令を送信し、ステップＳ１６５へ進む。ステップＳ１６５では、タイマが所定時間をカウントアップしているかどうかを判定し、そうであればステップＳ１６６へ進み、そうでなければ本制御を終了する。ステップＳ１６６では、同一冷媒系の全リモートコントローラに対して運転停止指令を送信し、ステップＳ１６７へ進む。ここで運転停止指令された各リモートコントローラは管理下の各室内機を停止させる。ステップＳ１６７では、同一冷媒系統の全リモートコントローラに操作許可指令を送信し、本制御を終了する。
なお、本制御は定期的に繰返し実行される。
【００５１】
すなわち、リモートコントローラＡの複数のスイッチが所定の組合せで操作されたときに、全試運転操作手段２７（ステップＳ１６３，Ｓ１６４の機能に相当する）が、同一冷媒系統の全てのリモートコントローラを同時に試運転設定し、各リモートコントローラとつながる室内機Ｂまたは室外機Ｃを全て同一試運転モードで運転または停止する。これにより、全リモートコントローラは試運転中操作禁止状態となるので、試運転中のユーザーの操作により試運転確認が中断されることがない。また、１台のリモートコントローラの操作で全リモートコントローラおよび全室内機の試運転ができるので、ＶＩＰルーム、セキュリティ上の入室禁止場所などのように容易に入室できない場所に対しても試運転設定が可能となる。
【００５２】
実施の形態１３．
次に、図１６のフローチャートで、機器仕様チェックのアルゴリズムについて説明する。
図において、ステップＳ１７１では、リモートコントローラＡのルーバースイッチと換気スイッチが操作されているかどうかを判定し、そうであればステップＳ１７２へ進み、そうでなければ本制御を終了する。ステップＳ１７２では、リモートコントローラＡの表示部２に現状の仕様を表示し、ステップＳ１７３へ進む。ステップＳ１７３では、リモートコントローラＡの設定温度△スイッチが操作されているかどうかを判定し、そうであればステップＳ１７４へ進み、そうでなければステップＳ１７１へ戻る。ステップＳ１７４ではサイクリックに表示する仕様内容を切換え、ステップＳ１７５へ進む。ステップＳ１７５では、所定時間経過したかどうかを判定し、所定時間経過までは本ステップに止まり、所定時間経過後ステップＳ１７１へ戻る。
ここで、サイクリックに表示される仕様内容は、以下のようなものがある。室外機情報、室内機情報の順に表示され、室内機Ｂが複数ある場合には識別アドレスの若い順に表示される。室外機Ｃおよび室内機Ｂの情報としては、識別アドレス、機器の型名、機器のロットＮｏ．、制御プログラムＮｏ．、機器内のスイッチ設定状態、等がある。表示部２にはアドレスは常時表示し、他の部位または同一部位の反転繰返しで順じサイクリックに各仕様情報が表示されるように構成する。
なお、情報については、表示する際に伝送手段５による通信で各機器から情報収集する。
【００５３】
すなわち、リモートコントローラＡの複数のスイッチが所定の組合せで操作されたときに、固有情報抽出手段３７（ステップＳ１７２の機能に相当する）が、室外機Ｃおよび室内機Ｂの型名、ロット、プログラム番号、個別設定状態などの固有情報を室内機Ｂや室外機Ｃの固有情報記憶手段４２から抽出してリモートコントローラＡの表示部２に表示するので、手元のリモートコントローラＡを操作するだけで、屋上や天井内部に隠蔽された室内機などに関する主要な情報を容易に入手することができる。
【００５４】
実施の形態１４．
次に、図１７のフローチャートで、異常状態のリセット制御のアルゴリズムについて説明する。
これは、一旦異常と判定して異常表示しつつ停止しているリモートコントローラに対し、他機器の操作および動作に伴い異常表示を抹消し、通常停止状態に戻すものである。
図において、ステップＳ１８１では、異常検知しているかどうかを判定し、そうであれば、ステップＳ１８２へ進み、そうでなければ本制御を終了する。ステップＳ１８２では、リモートコントローラＡの表示部２に異常に関する表示を行い、ステップＳ１８３へ進む。ステップＳ１８３では、リモートコントローラＡの運転停止スイッチが操作されているかどうかを判定し、そうであればステップＳ１８４へ進み、そうでなければステップＳ１８６へ進む。ステップＳ１８４では、対象室内機Ｂの停止処理を実施し、ステップＳ１８５へ進む。ステップＳ１８５では、リモートコントローラＡの表示部２の異常に関する表示を消灯し、本制御を終了する。ステップＳ１８６では、伝送にて他機器からの異常リセットを受信したかどうかを判定し、そうであればステップＳ１８４へ進み、そうでなければ本制御を終了する。
ここで、ステップＳ１８６における同一冷媒系の他機器からの異常リセット受信に関して説明する。他機器において、ステップＳ１９１では、異常状態かどうかを判定し、そうであればステップＳ１９２へ進み、そうでなければ本制御を終了する。ステップＳ１９２では、異常状態を解除するかどうかを判定し、解除する場合はステップＳ１９３へ進み、そうでない場合は、本制御を終了する。ステップＳ１９３では、自機器に関する異常解除処理を実施し、ステップＳ１９４へ進む。ステップＳ１９４では、異常リセット信号を同一冷媒系の機器を管理しているリモートコントローラＡに対して送信し、本制御を終了する。
【００５５】
すなわち、リモートコントローラＡの表示部２が異常表示をしている時に、そのリモートコントローラＡで運転操作をした場合、または同一冷媒系に接続されている他のリモートコントローラで異常リセット操作をした場合に、異常表示解除手段３２（ステップＳ１８５の機能に相当する）がリモートコントローラＡの表示部２の異常表示を消すので、異常表示しつつ停止しているリモートコントローラＡを通常停止状態に戻すことができ、運転させるために異常解除するという操作を１ステップ削減でき、いつでも正常運転が再開可能であるにも拘わらずリモートコントローラＡを手元で操作するまで異常表示が残るというアンマッチ状態を回避することができる。なお、異常解除操作は、フローチャートで示したように、通常は、異常表示しているリモートコントローラＡで運転／停止スイッチを操作して一旦停止にすることにより実現される。
【００５６】
実施の形態１５．
次に、図１８のフローチャートで、機器の周囲環境に応じた運転禁止制御のアルゴリズムについて説明する。
まず、環境条件の情報収集について、説明する。環境条件としては、室外機が設置される周囲の温度環境（外気温度）と、空気調和装置の電源が投入されてからの経過時間の、２つを考える。
まず、外気温度については、同図（ａ）において、ステップＳ２１１では、所定時間が経過したかどうかを判定し、所定時間経過まではステップＳ２１１で待機し、所定時間経過後ステップＳ２１２へ進む。すなわち、所定時間ごとにステップＳ２１２を実行する。ステップＳ２１２では、外気温度情報を室外機から伝送手段５を介して入手する。
【００５７】
電源投入からの経過時間については、同図（ｂ）において、ステップＳ２２１では、電源投入に対応して通電時間タイマをリセットし、ステップＳ２２２へ進む。ステップＳ２２２では、通電時間タイマを加算し、ステップＳ２２３へ進む。ステップＳ２２３では、試運転状態かどうかを判定し、そうであればステップＳ２２４へ進み、そうでなければステップＳ２２２へ戻る。ステップＳ２２４では、強制的に通電時間タイマをカウントアップ時間まで進め、ステップＳ２２２へ戻る。
これは、試運転を１回実施した後は、本タイマによる運転禁止を実施しないための処理である。
後述のステップＳ２０４での環境条件の判定は、上記の外気温度が所定温度以上であれば運転可と判定し、また電源投入から所定時間以上経過していれば運転可と判定する。
【００５８】
次に、運転禁止制御について説明する。同図（ｃ）において、ステップＳ２０２では、試運転設定されているかどうかを判定し、試運転に設定されていればステップＳ２０８へ進み、そうでなければステップＳ２０３へ進む。ステップＳ２０８では、試運転状態とし、ステップＳ２０６へ進む。ステップＳ２０３では、運転／停止スイッチで運転設定されているかどうかを判定し、運転設定であればステップＳ２０４へ進み、そうでなければステップＳ２０９へ進む。ステップＳ２０９では、停止状態とし、本制御を終了する。ステップＳ２０４では、環境条件が運転可であるかどうかを判定し、可であればステップＳ２０５へ進み、そうでなければステップＳ２０７へ進む。ステップＳ２０５では、運転状態とし、ステップＳ２０６へ進む。ステップＳ２０６では、空調室内機へ運転モードを送信し、本制御を終了する。ステップＳ２０７では、運転禁止状態とし、リモートコントローラに禁止である旨表示し、本制御を終了する。
このフローチャートにより、停止状態からリモートコントローラによって運転に切替えようとした際に、運転禁止条件であればその旨をリモートコントローラＡの表示部２に表示するとともに運転停止状態を保つことができる。
ここで、検出した外気温度に基づいて運転可否を判定して運転禁止しているのは、外気温度が低い時に空気調和装置を運転すると、運転圧力が低くなりすぎ、圧縮機に過度のストレスを与えることがあるからである。
電源投入からの通電時間で運転可否を判定して運転禁止しているのは、通電開始から圧縮機を余熱するクランクケースヒータの通電が始まり、この発熱により圧縮機内部に寝込んだ冷媒を気化して圧縮機外へ押し出し、圧縮機内の冷凍機油の濃度を上昇するという制御が充分機能するまで、圧縮機の運転を禁止しておかないと、寝込み冷媒が圧縮機の圧縮室内に流入して液圧縮することで圧縮室を機械的に破損したり、低濃度の冷凍機油による潤滑不足で圧縮機内部の摺動部の破損が発生したりすることが考えられるためである。
【００５９】
すなわち、リモートコントローラＡのスイッチより室内機Ｂまたは室外機Ｃが運転されたときに、室内機Ｂまたは室外機Ｃの環境条件検出手段４８（ステップＳ２１２の機能に相当する）により検出された環境条件に基づいて、運転可否判定手段４９（ステップＳ２０４の機能に相当する）がその室内機Ｂまたは室外機Ｃの運転許可または運転禁止を判定し、運転可否判定手段４９が運転禁止と判定した場合に、リモートコントローラＡの運転保留手段３６（ステップＳ２０７の機能に相当する）は、設定された運転を実行することなくその室内機Ｂまたは室外機Ｃの運転禁止の旨をリモートコントローラＡの表示部２に表示させるので、従来は人によるリモートコントローラＡの操作に応じて無条件に運転開始していたものを、条件に応じて運転禁止にすることができ、不用意に機器破損に至るような運転の開始を回避できる。また、従来は取扱説明書などの別情報で取り扱われて人に頼っていた内容が空気調和装置自体で管理されるので、機器破損を完全に予防することができる。禁止の条件を種々設定することで先に説明した操作禁止と同様に適用することもできる。
【００６０】
実施の形態１６．
次に、図１９に示したリモートコントローラの外観図により、これまでに説明した複数スイッチ操作による付加機能設定を簡易に実行するためのテンプレートの働きについて説明する。例として、図１６に示した機能で説明する。
リモートコントローラＡは操作部１の複数のスイッチ（操作手段）を被う大きさのテンプレートＴを備えている。テンプレートＴは、リモートコントローラＡの前面と同等の外形を持つ可搬式で板状のプレート本体Ｐからなっている。このプレート本体Ｐには、所定の組合せで同時に操作される複数のスイッチを被うプレート本体Ｐの部分に形成されていてテンプレートＴをリモートコントローラＡの前面に押し当てたときにその所定の組合せに係るスイッチと接触して操作する接触操作部６１と、所定の組合せに係るスイッチ以外のスイッチと対面するプレート本体Ｐの部分に開口する開放穴部６２と、開放穴部６２から覗くスイッチに付与されている操作内容をそのスイッチ近傍のプレート本体Ｐの部分に記載した操作内容記載部６３とが設けられている。この例において、接触操作部６１はルーバースイッチおよび換気スイッチを被う部分に設けられている。表示部２については、そのテンプレートＴで実施する付加機能において必要な部分のみ開放し、不要部分は塞いだ形状をしている。
前記の操作内容記載部６３は、適用する付加機能名称および付加機能実現のために使用するスイッチの近傍にスイッチの意味付け説明（例えば、機器仕様情報収集用）を記載したものである。
【００６１】
テンプレートＴの使用は、必要な付加機能に応じたテンプレートを用意し、リモートコントローラＡの前面に押し当てるとともに追加で必要なスイッチを操作し、表示部２を確認することで実現する。
すなわち、テンプレートＴをリモートコントローラＡの前面に押し当てることで、接触操作部６１により、同時に必要な複数のスイッチを簡単、確実に操作できる。また、追加で操作しようとするスイッチが開放穴部６２にある場合にはどのスイッチをどのように操作すればどのような付加機能が得られるかが、操作内容記載部６３に表示されている記載内容から一目瞭然に判る。従って、多数ある付加機能に対して、個々に複雑な操作を覚えておく必要がない。表示についても何処を見れば良いかがはっきりするので見落としがなくなる。すなわち、付加機能をより簡単に利用できるという効果がある。
【００６２】
ところで、上記説明では、この発明をリモートコントローラに利用する場合について述べたが、同じ構成で、室内機や室外機に、あるいはその他の操作・表示装置にも利用できることは言うまでもない。
【図面の簡単な説明】
【００６３】
【図１】本発明の実施の形態に係る空気調和装置の要部を示すブロック構成図である。
【図２】（ａ）は前記空気調和装置のリモートコントローラの制御構成を示すシステムブロック図、（ｂ）は前記空気調和装置の室内機または室外機の制御構成を示すシステムブロック図である。
【図３】前記リモートコントローラの外観図である。
【図４】本発明の実施の形態１に係るリモートコントローラ操作の付加機能を示すフローチャートである。
【図５】本発明の実施の形態２に係るリモートコントローラ操作の付加機能を示すフローチャートである。
【図６】本発明の実施の形態３に係るリモートコントローラ操作の付加機能を示すフローチャートである。
【図７】本発明の実施の形態４に係るリモートコントローラ操作の付加機能を示すフローチャートである。
【図８】本発明の実施の形態５に係るリモートコントローラ操作の付加機能を示すフローチャートである。
【図９】本発明の実施の形態６に係るリモートコントローラ操作の付加機能を示すフローチャートである。
【図１０】本発明の実施の形態７に係るリモートコントローラ操作の付加機能を示すフローチャートである。
【図１１】本発明の実施の形態８に係るリモートコントローラ操作の付加機能を示すフローチャートである。
【図１２】本発明の実施の形態９に係るリモートコントローラ操作の付加機能を示すフローチャートである。
【図１３】本発明の実施の形態１０に係るリモートコントローラ操作の付加機能を示すフローチャートである。
【図１４】本発明の実施の形態１１に係るリモートコントローラ操作の付加機能を示すフローチャートである。
【図１５】本発明の実施の形態１２に係るリモートコントローラ操作の付加機能を示すフローチャートである。
【図１６】本発明の実施の形態１３に係るリモートコントローラ操作の付加機能を示すフローチャートである。
【図１７】本発明の実施の形態１４に係るリモートコントローラ操作の付加機能を示すフローチャートである。
【図１８】本発明の実施の形態１５に係るリモートコントローラ操作の付加機能を示すフローチャートである。
【図１９】本発明の実施の形態１６に係るリモートコントローラへのテンプレート装着時の外観図である。
【符号の説明】
【００６４】
Ａ  リモートコントローラ、Ｂ  室内機、Ｃ  室外機、Ｐ  プレート本体、Ｔ  テンプレート、１  設定部、２  表示部、３  リモコンの制御手段、４  リモコンの記憶手段、５  伝送手段、７  室内機または室外機の制御手段、８  センサ入力手段、９  室内機または室外機の記憶手段、１０  アクチュエータ出力手段、１１  ファン、１２  ＬＥＶ、１３  ベーン、１４  ドレンポンプ、１５  加湿器、２１  運転内容設定手段、２２  優先空調設定手段、２３  制御変更手段、２４  アクチュエータ動作確認手段、２８  操作許可時間設定手段、２９  時限運転手段、３１  発光部点灯切替手段、３３  異常判定手段、３５  異常時対応設定手段、３６  運転保留手段、４３  運転内容実行手段、４４  異常判定手段、４８  環境条件検出手段、４９  運転可否判定手段、６１  接触操作部、６２  開放穴部、６３  操作内容記載部、６４  ＬＥＤ、６５  バックライト。
【図１】
2006177571.tif 000003
【図２】
2006177571.tif 000004
【図３】
2006177571.tif 000005
【図４】
2006177571.tif 000006
【図５】
2006177571.tif 000007
【図６】
2006177571.tif 000008
【図７】
2006177571.tif 000009
【図８】
2006177571.tif 000010
【図９】
2006177571.tif 000011
【図１０】
2006177571.tif 000012
【図１１】
2006177571.tif 000013
【図１２】
2006177571.tif 000014
【図１３】
2006177571.tif 000015
【図１４】
2006177571.tif 000016
【図１５】
2006177571.tif 000017
【図１６】
2006177571.tif 000018
【図１７】
2006177571.tif 000019
【図１８】
2006177571.tif 000020
【図１９】
2006177571.tif 000021